(57)【要約】【課題】駐車中の車内に太陽光が射し込まないように遮光する機能面の追及だけではなく、視覚的に楽しい遊び心を追求した自動車用サンシェードを提供すること。【解決手段】以下の要件を備えることを特徴とする自動車用サンシェード。（イ）上記自動車用サンシェードＡの前面には太陽電池３を配置するとともに、所定の図柄、若しくは形象物などの視覚情報体２が設けられ、該視覚情報体２の少なくとも一部は動作可能であること（ロ）上記自動車用サンシェードの背面には上記太陽電池３の発電した電力で動作する動作機構Ｂを配置し、該動作機構Ｂは上記視覚情報体２の少なくとも一部を動作させること【選択図】図１
2006008011.tif 000002
【特許請求の範囲】
【請求項１】
以下の要件を備えることを特徴とする自動車用サンシェード。
（イ）上記自動車用サンシェードの前面には太陽電池を配置するとともに、所定の図柄若しくは形象物などの視覚情報体が設けられ、該視覚情報体の少なくとも一部は動作可能であること
（ロ）上記自動車用サンシェードの背面には上記太陽電池の発電した電力で動作する動作機構を配置し、該動作機構は上記視覚情報体の少なくとも一部を動作させること
【請求項２】
以下の要件を備えることを特徴とする、請求項１記載の自動車用サンシェード。
（イ）前記動作機構はモータの回転力又はコイルの発生する磁界を駆動力として動作すること
（ロ）前記視覚情報体は人間の顔を模した図柄であり、該図柄の動作する一部は瞼であること
（ハ）上記動作機構は上記瞼を閉じたり開いたりするように作動すること
【請求項３】
前記自動車用サンシェードは両側部が前面又は背面側に折り畳み可能に形成された、請求項１又は２記載の自動車用サンシェード。
【発明の詳細な説明】
【技術分野】
【０００１】
本発明は、自動車用サンシェード、詳しくは、単に日除けの効果だけではなく視覚的に楽しめるようにした自動車用サンシェードに関するものである。
【背景技術】
【０００２】
従来、駐車した自動車の車内に太陽光が直接射し込まないように、フロントグラスの内側に置くサンシェードが提案されている。一般的に使用されているサンシェードは、非使用時は蛇腹状に折畳み、使用時は展開してフロントグラスを内側から覆うようにしたものであるが、収納や取り扱いなどに工夫を凝らしたサンシェードが提案されている（例えば、特許文献１）。
【０００３】
このサンシェードは、自動車の車内のフロントグラスの近傍に取付部を取付け、この取付部に伸縮支持部の基端を取付け、この伸縮支持部の先端に遮光シートの上縁の両角部に取付け、この遮光シートを、保持手段によりフロントグラスに向かって付勢して、フロントグラスの傾斜角度と同じような傾斜角度で保持するようにしたもので、太陽光を遮りたい場合は、遮光シートを展開してフロントグラスの全面を覆うとともに、伸縮支持部を伸張して、その先端部をフロントグラスの上縁の両端部に配置させ、前記遮光シートの上縁両角部に取付手段を介して取付ける一方、保持手段によりフロントグラスへと付勢して、フロントグラスの傾斜角度と略同一の傾斜角度に保持することによりフロントグラスに密着するようにして光を遮るようにし、使用しないときには伸縮支持部を縮めて取付部上に載置することにより、全体をコンパクトにして収納することができるようにしたものである。
【特許文献１】実開平６−２７２４２号公報
【発明の開示】
【発明が解決しようとする課題】
【０００４】
本発明が解決しようとする問題点は、上述のサンシェードは単に太陽光を遮光するだけの機能に加え、取り扱い性の面に工夫が取り入れられたものであるが、あくまで実用面に重点が置かれ、遊び心にかける点であった。
【０００５】
本発明は、上記問題点を解決し、駐車中の車内に太陽光が射し込まないように遮光する機能面を追及するだけではなく、視覚的に楽しい遊び心を追求した自動車用サンシェードを提供することを課題とする。
【課題を解決するための手段】
【０００６】
前記課題を解決するために本発明に係る自動車用サンシェードは、以下の要件を備えることを特徴とする。
（イ）上記自動車用サンシェードの前面には太陽電池を配置するとともに、所定の図柄若しくは形象物などの視覚情報体が設けられ、該視覚情報体の少なくとも一部は動作可能であること
（ロ）上記自動車用サンシェードの背面には上記太陽電池の発電した電力で動作する動作機構を配置し、該動作機構は上記視覚情報体の少なくとも一部を動作させること
なお、前記自動車用サンシェードは、以下の要件を備えることが好ましい。
（イ）前記動作機構はモータの回転力又はコイルの発生する磁界を駆動力として動作すること
（ロ）前記視覚情報体は人間の顔を模した図柄であり、該図柄の動作する一部は瞼であること
（ハ）上記動作機構は上記瞼を閉じたり開いたりするように作動すること
【０００７】
そして、前記自動車用サンシェードは、両側部が前面又は背面側に折り畳み可能に形成され、折り畳み時には視覚情報体又は動作機構が保護されるようにすればよい。
【発明の効果】
【０００８】
請求項１の発明によれば、サンシェードの前面に一部が動作可能な図柄若しくは形象物と太陽電池とを配置し、背面には太陽電池の発電した電気で動作する動作機構を配置し、太陽電池が発電すると動作機構の動作によって図柄若しくは形象物の一部が動作するので、単に太陽光を遮光するという機能面の効果に留まらず、見る人の心を和ませる遊び心を追求したサンシェードを提供することができる。
【０００９】
請求項２の発明によれば、太陽電池の発電した電気でモータを回転させ、このモータの回転で瞼部材を上下動させることにより、あたかもウインクを繰り返しているような動作をさせることができる。
【００１０】
請求項３の発明によれば、サンシェードを折り畳むことにより、サンシェードで動作機構をカバーすることができ、不使用時には動作機構を保護することができる。
【発明を実施するための最良の形態】
【００１１】
自動車用サンシェードの前面には太陽電池を配置するとともに、所定の図柄が表示若しくは形象物が配置され、上記図柄若しくは形象物の少なくとも一部を動作可能に形成し、自動車用サンシェードの背面には上記太陽電池の発電した電力で動作する動作機構を配置し、該動作機構は上記図柄若しくは形象物の少なくとも一部を動作させるようにした。
【実施例１】
【００１２】
図１は、本発明に係る自動車用サンシェードの一例を示し、この自動車用サンシェード（以下、サンシェードという）Ａは、ダンボールや樹脂製のパネル１を基材とし、このパネル１を折り畳み可能に形成するとともに、前面には視覚情報体２を構成する女性の顔からなる図柄が直接印刷又は印刷されたシートが貼付されるとともに、前面の一部には太陽電池３が取り付けられている。
【００１３】
そして、上記視覚情報体（図柄）２の片方の目４ａは見開いた状態に描かれ、他方の目４ｂの部分は開口し、開口部５の内方には瞳６が描かれた小パネル７が配置され、この小パネル７と開口部５との間を瞼部材８が上下動するようになっている（図２参照）。
【００１４】
上記サンシェード１の背面には箱状のカバー１０が取り付けられ、このカバー１０の内部には上記太陽電池３の発電した電気によって作動する作動機構Ｂが収容されている。この作動機構Ｂは上述の瞳部材８を上下動させるもので、モータ１１とモータ１１の回転軸に固定されたピニオンギヤ１２と、このピニオンギヤ１２に噛み合う平歯車１３と、この平歯車１３に形成された偏心軸１４に連係して上下に揺動する揺動部材１５とから構成されている。この揺動部材１５は、支軸１６を中心に上下に揺動する揺動板で構成され、この揺動板１５の先端には瞼部材８が取り付けられ、後端には上記偏心軸１４と揺動板１５とを連結するリンク１７が取り付けられ、モータ１１が回転して平歯車１３が回転すると、リンク１７が上下動して揺動板１５を揺動させ、瞼部材８が上下動するようになっている（図３参照）。
【００１５】
上記モータ１１は上述の太陽電池３の発電する電気により作動するようになっており、図４の回路図に示すように、太陽電池３と蓄電池２０とがモータに並列に接続され、モータには直列にスイッチ２１が接続され、スイッチ２１がＯＦＦの状態であれば、太陽電池３で発電があるとモータ１１への給電はなく蓄電池２０に充電され、スイッチ２１がＯＮの状態であれば、太陽電池３に十分な発電があると太陽電池３からモータ１１に、太陽電池３の発電が不十分ならば蓄電池２０からモータ１１に給電されるようになっている。なお、符合２２は逆流防止用のダイオードを示す。
【００１６】
上記構成のサンシェードによれば、図５に示すように、広げてフロントグラスの内側に女性の顔２が外側から見えるように設置すればよい。スイッチ２１をＯＮした状態で太陽電池３が太陽光を充分に受光すれば太陽電池３からモータ１１に給電されるのでモータ１１が回転し、ピニオンギヤ１２、平歯車１３が回転して揺動板１５が上下に揺動し、この揺動板１５の先端に取り付けられた瞼部材８が上下動する。瞼部材８が上動すると、小パネル７に描かれた瞳６が開口部５を通して見え、瞼部材８が下動すると瞼部材８が開口部５全面を遮蔽し、瞳６が見えなくなるので、あたかも片目をつぶってウインクをしているような動作を繰り返し行うことになり、駐車している自動車のフロントグラスを内側から遮蔽するサンシェード１の視覚情報体２が動作しているように見え、単に遮光する機能的なサンシェードに留まらず、見る人に楽しさを与える遊び心を備えたサンシェードを提供することができる。
【００１７】
なお、上述の作動機構はモータを利用したが、モータ１１に代えて磁界を発生するコイル２５を利用しても構わない。コイル２５を利用する場合は、図６に示すように、揺動部材１５の先端に瞼部材８を形成し、後端にはリンクに代えて錘部材２６を取付け、支軸１６を中心にバランスが取れるようにし、支軸１６の部分から下方に磁石２７を支持するアーム２８を下方に突出して形成すればよい。
【００１８】
そして、磁石２７の下方にコイル２５を配置し、太陽電池３の発電は周知の制御回路２９でパルス電流に変換されて出力され、このパルス電流がコイル２５に流れると、コイル２５は間欠的に励磁され、励磁時にはアーム２８の先端に取り付けられた磁石２７と反発しあうようになっていればよい。
【００１９】
上記構成によれば、太陽電池３に太陽光が当たり、電気が発生すると、制御回路２９から出力されるパルス電流によりコイル２５が間欠的に励磁される。
【００２０】
コイル２５が励磁されるとアーム２８の先端に取り付けられた磁石２７はコイル２５と反発して揺動部材１５は、支軸１６を中心に反時計方向に回動し、コイル２５の励磁がなくなると時計方向に復帰回動するので、コイル２５の励磁に併せて揺動部材１５は連続的に揺動し、揺動部材１５の先端に設けた瞼部材８が上下動し、開口部５全面を遮蔽したり開放したりするので、片目をつぶってウインクをしているような動作を繰り返し行うことができる。
【００２１】
図７は、サンシェードの他の例を示すもので、このサンシェードは視覚情報体２を形象物で構成した場合を示し、この形象物は複数の動物が表示されたプレート３０で構成され、この形象物（プレート）３０が前面から見えるようにしたもので、このプレート３０は紐や針金などの吊り下げ部材３１でスライド板３２に吊り下げられ、スライド板３２が左右に揺動すると、動物が描かれたプレート３０が左右に動くようになっているもので、動物の脚が３３胴体部３４にハトメなどの取付け部材３５で回動自在に取付けられているものである。上記スライド板３２は左右両端にガイド用の長孔３６が形成され、パネル１に設けた支軸３７に支持されているもので、中央上部にはガイド溝３８が形成された係合板３９が上方に突出形成されている。このガイド溝３８には回転盤４０に形成された偏心軸４１が係合し、モータ１１が回転すると回転盤４０の偏心軸４１が公転するので、この偏心軸４１がガイド溝３８に係合しているスライド板３２は支軸３７、３７に支持されて左右に揺動動作をするようになっているものである。
【００２２】
上記サンシェードによれば、太陽電池３に太陽光が当たり、電気が発生してモータ１１が回転すると、スライド板３２が左右に揺動し、このスライド板３２に吊り下げられた動物が描かれたプレート３０が左右に移動するとともに、胴体部３４に取り付けられた脚３３が左右に回動するので、あたかも動物たちがラインダンスをしているように見え、動的な視覚情報体を楽しむことができる。
【００２３】
なお、上述のサンシェードは、パネル１の左右部分が折り畳むことができるようにしたので、図８（ａ）に示すように、折り畳み時には小さくなるとともに動作機構Ｂを収容したカバー１０を裏側から保護、若しくは、図８（ｂ）に示すように、前面の視覚情報体を保護することができるので、不使用時には取り扱いの不備で動作機構や視覚情報体２を破損するようなトラブルが回避できるとともに、収納しやすいサンシェードを実現することができる。
【図面の簡単な説明】
【００２４】
【図１】（ａ）（ｂ）は、本発明に係る自動車用サンシェードの一例を説明する正面図
【図２】動作機構を説明するサンシェードの要部横断面図
【図３】上記動作機構の説明図
【図４】サンシェードの電気回路の説明図
【図５】上記サンシェードの使用状態を示す斜視図
【図６】作動機構の他の例の説明図
【図７】（ａ）（ｂ）は視覚情報体の他の例を説明する斜視図及び動作説明図
【図８】（ａ）（ｂ）は、上記サンシェードの折り畳みを説明する平面図
【符号の説明】
【００２５】
１    パネル
２    視覚情報体
３    太陽電池
Ａ    自動車用サンシェード
Ｂ    動作機構
【図１】
2006008011.tif 000003
【図２】
2006008011.tif 000004
【図３】
2006008011.tif 000005
【図４】
2006008011.tif 000006
【図５】
2006008011.tif 000007
【図６】
2006008011.tif 000008
【図７】
2006008011.tif 000009
【図８】
2006008011.tif 000010